(57)【要約】【課題】小型化を達成しつつ、時計を見易くし、かつ、操作性を向上させる。【解決手段】操作部１５は、筐体の周側面に突設させて円環状に配置された数字キー等の操作キーを有している。ダイヤル入力操作等を行う場合には、装着用リストバンドを一方の手首に巻き付けて、腕時計型携帯電話機２を装着した状態で、他方の手指によって各操作キーの先端を筐体５の中心部へ向けて押圧するか、または、操作対象の操作キーの先端と反対側の周側面とを挟み込むようにして、押圧力を加えることによって、操作対象の操作キーに確実に押圧力を伝達させる。【選択図】図１
2008053980.tif 000002
【特許請求の範囲】
【請求項１】
機器の正面部に設けられた表示手段と、前記機器の側面部に設けられた入力キーと、前記機器に取り付けられたバンドとを備えてなる腕時計型携帯情報端末であって、
前記入力キーは、前記機器の側面に周回方向に沿って配置され、少なくとも数字を入力するために用いられることを特徴とする腕時計型携帯情報端末。
【請求項２】
前記機器の内部に前記側面に沿って略環状に配置され、キー入力のためのスイッチが設けられた基板を備え、前記入力キーは、対応するスイッチを開閉するための作動軸部を有し、前記入力キーが押圧されることによって、前記スイッチが開状態又は閉状態とされるように構成されていることを特徴とする請求項１記載の腕時計型携帯情報端末。
【請求項３】
前記入力キーは、前記機器の前記側面から突設され、かつ、該側面に回転可能なように配設され、前記入力キーを回転させることによって、当該腕時計型携帯情報端末の所定の機能に係る量の調節が可能なように構成されていることを特徴とする請求項２記載の腕時計型携帯情報端末。
【請求項４】
無線通話機能を有し、前記入力キーは、前記機器の前記側面から突設され、該側面に沿って略環状に配置された電話番号入力のためのテンキーを含むことを特徴とする請求項１、２又は３記載の腕時計型携帯情報端末。
【請求項５】
計時機能を有し、前記表示手段は、前記正面部に設けられた少なくとも現在時刻が表示される表示領域を有していることを特徴とする請求項１乃至４のいずれか１に記載の腕時計型携帯情報端末。
【請求項６】
前記表示領域には、時刻表示のための文字盤が配置されていることを特徴とする請求項５記載の腕時計型携帯情報端末。
【請求項７】
所定の前記入力キーは、前記機器の前記側面に回転可能なように配設され、前記所定の入力キーを回転させることによって、現在時刻表示の調節が可能なように構成されていると共に、押圧することによって、無線通話のための所定の入力操作がなされることを特徴とする請求項５又は６記載の腕時計型携帯情報端末。
【請求項８】
ラジオ放送受信機能を有していることを特徴とする請求項１乃至７のいずれか１に記載の腕時計型携帯情報端末。
【請求項９】
テレビジョン放送受信機能を有していることを特徴とする請求項１乃至８のいずれか１に記載の腕時計型携帯情報端末。
【請求項１０】
複数の前記入力キーを同時に操作することによって、所定の入力操作がなされることを特徴とする請求項１乃至９のいずれか１に記載の腕時計型携帯情報端末。
【請求項１１】
請求項１乃至１０のいずれか１に記載の腕時計型携帯情報端末と、使用者の頭部に装着され、受話手段及び送話手段を有するヘッドセット装置とが、近距離無線を介して接続されてなる携帯通信システムであって、
前記腕時計型携帯情報端末は、少なくとも音声情報を送受信する無線通信機能を有していることを特徴とする携帯通信システム。
【発明の詳細な説明】
【技術分野】
【０００１】
この発明は、腕時計型携帯情報端末及び携帯通信システムに係り、例えば、手首に装着され、計時機能と通話機能とを有する腕時計型携帯情報端末、及び該腕時計型携帯情報端末に、受話部と送話部とを有するヘッドセット装置が組み合されてなる携帯通信システムに関する。
【背景技術】
【０００２】
近年、半導体技術の進歩によって、携帯電話機等の携帯型の情報機器の小型化及び軽量化が進み、例えば、手首に装着可能な携帯電話機としての機能を持つ腕時計（腕時計型携帯電話機）も開発されている。
このような計時機能と共に通話機能を有する腕時計型携帯電話機は、扁平な小型の筐体と、筐体に取り付けられ、ユーザの手首に巻き付けられて腕時計型携帯電話機本体を着脱自在に装着するための装着用リストバンドとを備えている（例えば、特許文献１等参照。）。
【０００３】
この腕時計型携帯電話機は、デジタル形式で現在時刻を表示する時計部と、筐体の上面の周縁部に設けられた通話用キー（ダイヤルキー）及びファンクショナルキーからなる操作部とを備えている。
通話用キーは、電話番号入力のための「０」〜「９」に対応した数字キーと、「＃」キーや「＊」キーとを含んでいる。
これらの通話用キーを、手指で押圧操作することによって、電話番号入力がなされる。また、筐体とは別に、受話部としてのスピーカ及び送話部としてのマイクロフォンが設けられた補助筐体が装着用リストバンドに取り付けられている。
【０００４】
なお、受話部が設けられ耳部に装着される本体部と、手首に装着される操作部との組合せで、使い勝手を向上させた技術も提案されている（例えば、特許文献２等参照。）。
また、携帯型の情報機器として、ＴＶ電話機能を有する情報機器において、手首に装着され無線通信機能を有する本体部と、受話部及び送話部が設けられ頭部に装着されるヘッドセット装置との組合せで、使い勝手を向上させた技術が提案されている（例えば、特許文献３等参照。）。
いずれの技術でも、本体部と、操作部又はヘッドセット装置とは、例えば、ブルートゥース（Bluetooth：登録商標）を利用した近距離無線通信によって、相互に接続される。
【特許文献１】ＷＯ９８／０５１４８号公報
【特許文献２】特開２００６−３３１４９号公報
【特許文献３】ＷＯ０１／０９９３９３号公報
【発明の開示】
【発明が解決しようとする課題】
【０００５】
解決しようとする問題点は、従来技術では、手首に装着される筐体の上面の文字盤等を配置する表示面の周縁に沿って操作キーを配置するために、所定のサイズの表示面を確保しようとすると、操作キーを配置する分、通話機能を有さない通常の腕時計等に比べて大型化してしまい、一方、全体のサイズを抑えようとすると、表示面が小さくなって視認し難くなってしまうと共に操作性が悪化するという点である。
【０００６】
この発明は、上述の事情に鑑みてなされたもので、小型化を達成しつつ、時計の表示を見易くすることができると共に、操作性を向上させることができる腕時計型携帯情報端末及び携帯通信システムを提供することを目的としている。
【課題を解決するための手段】
【０００７】
上記課題を解決するために、請求項１記載の発明は、機器の正面部に設けられた表示手段と、上記機器の側面部に設けられた入力キーと、上記機器に取り付けられたバンドとを備えてなる腕時計型携帯情報端末に係り、上記入力キーは、上記機器の側面に周回方向に沿って配置され、少なくとも数字を入力するために用いられることを特徴としている。
ここで、腕時計型携帯情報端末とは、単に、使用者の手首等に装着可能であるという意味で、必ずしも時計としての機能を持たない携帯情報端末を含む広い概念を意味する。
【０００８】
また、請求項２記載の発明は、請求項１記載の腕時計型携帯情報端末に係り、上記機器の内部に上記側面に沿って略環状に配置され、キー入力のためのスイッチが設けられた基板を備え、上記入力キーは、対応するスイッチを開閉するための作動軸部を有し、上記入力キーが押圧されることによって、上記スイッチが開状態又は閉状態とされるように構成されていることを特徴としている。
【０００９】
また、請求項３記載の発明は、請求項２記載の腕時計型携帯情報端末に係り、上記入力キーは、上記機器の上記側面から突設され、かつ、該側面に回転可能なように配設され、上記入力キーを回転させることによって、当該腕時計型携帯情報端末の所定の機能に係る量の調節が可能なように構成されていることを特徴としている。
【００１０】
また、請求項４記載の発明は、請求項１、２又は３記載の腕時計型携帯情報端末に係り、無線通話機能を有し、上記入力キーは、上記機器の上記側面から突設され、該側面に沿って略環状に配置された電話番号入力のためのテンキーを含むことを特徴としている。
【００１１】
また、請求項５記載の発明は、請求項１乃至４のいずれか１に記載の腕時計型携帯情報端末に係り、計時機能を有し、上記表示手段は、上記正面部に設けられた少なくとも現在時刻が表示される表示領域を有していることを特徴としている。
【００１２】
また、請求項６記載の発明は、請求項５記載の腕時計型携帯情報端末に係り、上記表示領域には、時刻表示のための文字盤が配置されていることを特徴としている。
【００１３】
また、請求項７記載の発明は、請求項５又は記載の腕時計型携帯情報端末に係り、所定の上記入力キーは、上記機器の上記側面に回転可能なように配設され、上記所定の入力キーを回転させることによって、現在時刻表示の調節が可能なように構成されていると共に、押圧することによって、無線通話のための所定の入力操作がなされることを特徴としている。
【００１４】
また、請求項８記載の発明は、請求項１乃至７のいずれか１に記載の腕時計型携帯情報端末に係り、ラジオ放送受信機能を有していることを特徴としている。
【００１５】
また、請求項９記載の発明は、請求項１乃至８のいずれか１に記載の腕時計型携帯情報端末に係り、テレビジョン放送受信機能を有していることを特徴としている。
【００１６】
また、請求項１０記載の発明は、請求項１乃至９のいずれか１に記載の腕時計型携帯情報端末に係り、複数の上記入力キーを同時に操作することによって、所定の入力操作がなされることを特徴としている。
【００１７】
また、請求項１１記載の発明は、請求項１乃至１０のいずれか１に記載の腕時計型携帯情報端末と、使用者の頭部に装着され、受話手段及び送話手段を有するヘッドセット装置とが、近距離無線を介して接続されてなる携帯通信システムに係り、上記腕時計型携帯情報端末は、少なくとも音声情報を送受信する無線通信機能を有していることを特徴としている。
【発明の効果】
【００１８】
この発明の構成によれば、少なくとも数字を入力するために用いられる入力キーが、機器の側面に周回方向に沿って配置されているので、小型化を達成しつつ、表示を見易くすることができ、操作性を向上させることができる。しかも、デザイン上の美感を損なうことがない。
【発明を実施するための最良の形態】
【００１９】
少なくとも数字を入力するために用いられる入力キーが、機器の側面に周回方向に沿って配置されていることによって、小型化を達成しつつ、表示を見易くし、操作性を向上させるという目的を実現した。
【実施例１】
【００２０】
図１は、この発明の第１の実施例である携帯電話システムの構成を示すブロック図、図２は、同携帯電話システムの腕時計型携帯電話機の構成を説明するための説明図、図３は、同携帯電話システムのヘッドセット装置の構成を示す斜視図、図４は、同携帯電話システムが装着された状態を示す図、また、図５は、同腕時計型携帯電話機の操作部の構成を示す断面図である。
【００２１】
この例の携帯電話システム１は、図１及び図４に示すように、計時機能と共に通話機能を有し、ユーザの手首に装着される腕時計型携帯電話機２と、受話部及び送話部を有し、ユーザの頭部に装着されるヘッドセット装置３とを備えてなっている。
ここで、腕時計型携帯電話機２とヘッドセット装置３とは、例えば、ブルートゥース（Bluetooth）を利用した近距離無線通信によって、相互に接続される。
【００２２】
腕時計型携帯電話機２は、図１及び図２に示すように、平面視略円形の扁平な筐体５と、この筐体５に取り付けられ、ユーザの手首に巻き付けられて腕時計型携帯電話機２本体を着脱自在に装着するための装着用リストバンド６とを有すると共に、筐体５に、当該腕時計型携帯電話機２本体の構成各部を制御する制御部７と、制御部７が実行する処理プログラムや各種データ等を記憶するための記憶部８と、アンテナ９を介して無線電波の送受信を行い、通信を行うために用いられる無線通信部１１と、ブルートゥース用のアンテナ１２を介して、ヘッドセット装置３との間で近距離無線通信を行って、音声情報を授受するために用いられる近距離無線通信部１３と、少なくとも現在時刻を表示する時計部１４と、電話番号入力操作等を行うための複数の操作キーからなる操作部１５とが、収納され又は取り付けられて概略構成されている。
【００２３】
制御部７は、ＣＰＵ（Central Processing Unit）等からなり、記憶部８に記憶された制御プログラムに従って、腕時計型携帯電話機２本体の構成各部を制御し、例えば、通信制御処理、操作制御処理、対ヘッドセット装置通信制御処理等を実行する。
制御部７は、通信制御処理では、例えば、所定の電話番号に対する発呼処理等を行い、無線通信を制御する。
【００２４】
また、制御部７は、操作制御処理では、操作キーとしての数字キー２３ａ〜２３ｊ、通話開始キー２３ｋ、又は通話終了キー２３ｍが押圧されると、操作キーの押圧を検出し、押圧された操作キーを特定し、操作キー情報を、例えば通信制御処理へ引き渡す。
また、制御部７は、対ヘッドセット装置通信制御処理では、対応するヘッドセット装置３との間で行うブルートゥースを利用した近距離無線通信を制御する。
【００２５】
記憶部８は、ＲＯＭ、ＲＡＭ等の半導体メモリ等からなり、制御部７が実行する各種プログラムや、各種情報等が記憶される。
記憶部８は、制御プログラム等が記憶されたプログラム記憶部と、各種情報が記憶された情報記憶部とを有してなっている。プログラム記憶部は、通信制御処理制御プログラムが記憶された領域と、操作制御処理制御プログラムが記憶された領域と、対ヘッドセット装置通信制御処理制御プログラムが記憶された領域とを有している。
【００２６】
無線通信部１１は、例えば、受信部や、送信部、周波数シンセサイザ部、アンテナ共用器等からなる無線部１７と、ベースバンド処理部１８等とを有してなり、音声を変調してアンテナ９を介して無線電波として送信すると共に、無線電波をアンテナ９を介して受信して音声に復調し、通話を行うために用いられる。
【００２７】
近距離無線通信部１３は、２．４５ＧＨｚ帯の電波をアンテナ１２を介して送受信するためのＲＦチップとベースバンドチップとを有し、ヘッドセット装置３との間で、例えば、ブルートゥースを利用した近距離無線通信を行って、音声情報を授受するために用いられる。
【００２８】
時計部１４は、円形の文字盤（時計面）２１の周縁部に略等間隔で表示された目盛り、又は円周を１２分割して各頂点に配置した「１」〜「１２」の数字（又は各数字間）を、短針と長針とによって示して、アナログ形式で現在時刻を表示し、筐体５を構成する正面側の透明部材からなるカバー部２２を介して、現在時刻表示が視認されるように構成されている。
【００２９】
操作部１５は、図２に示すように、先端を筐体５の中心部へ向けて押圧して、押し込むことによって入力操作がなされる例えば合成樹脂製の操作キー（キーボタン）が、筐体５を構成する断面円環状の枠体２４の周側面２５から突出させて放射状に配置されてなり、電話番号入力のための番号「０」〜番号「９」に対応した操作キーとしての数字キー（テンキー）２３ａ〜２３ｊ、通話開始時に押圧する通話開始キー２３ｋ、及び通話終了時に押圧する通話終了キー２３ｍを含んでいる。
【００３０】
また、操作部１５は、図５に示すように、筐体５内に周側面２５に沿って略環状に配置された基板２６上に重なるように円環状に配置され、ドーム状に突起しスイッチを構成する金属板接点２７ａが設けられた帯状のメタルドームシート２７を有している。
なお、通話終了キー２３ｍは、携帯電話機能のオン／オフを行うための電源キーを兼ねている。
【００３１】
この例では、各操作キーは、押圧操作によりスイッチの動作がなされるように構成され、通常の腕時計の竜頭（調節ねじ）と同様の形状及び寸法を有するボタンが採用されて、指先で操作可能な程度の大きさとされ、余分な配置スペースを要することなく、かつ、良好な操作性が確保されるように配慮されている。
これにより、例えば、操作キーを、手指で押圧する際に、操作キーが小さ過ぎたり、隣接する操作キーとの間隔が狭いことによる誤操作を引き起こすことが防止される。
【００３２】
数字キー２３ａ〜２３ｊ、通話開始キー２３ｋ、通話終了キー２３ｍは、それぞれ、図５に示すように、筐体５に形成された凹状のキー取付部５ａに、周側面２５に垂直な方向に沿って変位可能なように取り付けられ、筐体５に形成された開口５ｂから先端が露出し、押圧操作を行うための頭部２８ａと、頭部２８ａと一体的に成形され、後端に金属板接点２７ａを押下してキー入力回路の対応するスイッチを開閉するためのスイッチ作動用突起部２８ｐが設けられた軸部２８ｂとを有している。
【００３３】
なお、頭部２８ａはフランジ部２８ｑを有し、フランジ部２８ｑの上面は、非押圧時には、開口５ｂの裏面側の縁部に当接している。また、頭部２８ａの裏面と筐体５のキー取付部５ａの底面との間には弾性部材２９が介挿されている。ここで、弾性部材２９としては、例えば、平板状のゴム製部材や、皿ばね、圧縮ばね等が用いられる。
【００３４】
例えば、数字キー２３ａが押下されることによって、直下の対応する金属板接点２７ａにスイッチ作動用突起部２８ｐが押し付けられ、金属板接点２７ａが平坦化されて、例えばオン状態とされる。数字キー２３ａの押圧力が除かれると、弾性部材２９及び金属板接点２７ａの復元力によって、スイッチ作動用突起部２８ｐは元の位置に戻され、金属板接点２７ａも元のドーム形状に戻り、例えばオフ状態とされる。
【００３５】
操作キーを操作する場合には、図４に示すように、装着用リストバンド６を例えば左手首に巻き付けて、腕時計型携帯電話機２を装着した状態で、右手指によって各操作キーの先端を筐体５の中心部へ向けて押圧して押し込むようにする。
または、操作対象の操作キーと反対側の枠体２４の周側面２５とを挟み込むようにして（例えば、数字キー２３ａを操作する場合には、数字キー２３ａと、数字キー２３ｆ，２３ｇ間の周端面２５又は数字キー２３ｇ，２３ｈ間の周端面２５とを、例えば、親指と人差指とで抓むようにして）、押圧力を加えることによって、腕時計型携帯電話機２本体を変位させずに、かつ、操作対象の操作キーに容易に押圧力が伝達される。
【００３６】
ヘッドセット装置３は、図１及び図３に示すように、当該ヘッドセット装置３本体の構成各部を制御する制御部３１と、制御部３１が実行する処理プログラムや各種データ等を記憶するための記憶部３２と、ブルートゥース用のアンテナ３３を介して無線電波の送受信を行い、通信を行うために用いられる近距離無線通信部３４と、イヤホン（ヘッドホン）を有し受話音声を出力する一対の受話部３５，３５と、送話音声を入力するマイクロフォンからなる送話部３６と、音声信号処理部３７と、音声信号処理部３７で生成されデジタル信号をアナログ信号に変換して受話部３５へ出力するＤ／Ａ変換部３８と、送話部３６からのアナログ信号をデジタル信号に変換して音声信号処理部３７ヘ出力するＡ／Ｄ変換部３９とから概略構成されている。
なお、一対の受話部３５は、ユーザの頭部に装着するための逆Ｕ字形に湾曲したヘッドバンドによって機械的に接続されている。
【００３７】
制御部３１は、記憶部３２に記憶された制御プログラムに従って、例えば、対腕時計型携帯電話機通信制御処理等を実行する。
制御部３１は、対腕時計型携帯電話機通信制御処理では、対応する腕時計型携帯電話機２との間で行うブルートゥースを利用した近距離無線通信を制御する。
記憶部３２は、制御プログラム等が記憶されたプログラム記憶部と、各種情報が記憶された情報記憶部とを有してなっている。
この例では、制御部３１や記憶部３２等は、受話部３５を構成しユーザの耳部を覆うカバー部内に格納される。
【００３８】
次に、図１乃至図４を参照して、上記構成の携帯通話システム１の動作について説明する。
ユーザが、相手先に電話をするために、対応する電話番号の入力操作を行なう場合には、図４に示すように、ヘッドセット装置３を頭部に装着し、装着用リストバンド６を例えば左手首に巻き付けて、腕時計型携帯電話機２を装着する。
この状態で、通話終了キー２３ｍを押圧して、携帯電話機能をオン状態とし、番号「０」〜番号「９」に対応した数字キー２３ａ〜２３ｊを連続して押圧して相手先の電話番号を入力し、通話開始キー２３ｋを押圧すると、制御部７は、入力された電話番号に対する発呼処理を行う。
【００３９】
ここで、図２及び図５に示すように、右手指によって各操作キーの先端を筐体５の中心部へ向けて押圧して押し込むようにするか、または、操作対象の操作キーと反対側の枠体２４の周端面２５とを挟み込むようにして、腕時計型携帯電話機２本体を変位させずに、すなわち、操作キーに容易に押圧力が加わるようにして操作キーを操作する。
例えば、数字キー２３ａを操作する場合には、数字キー２３ａと、数字キー２３ｆ，２３ｇ間の周端面２５又は数字キー２３ｇ，２３ｈ間の周端面２５とを、例えば、親指と人差指とで抓むようにして、数字キー２３ａの先端部を押圧する。
【００４０】
こうして入力された情報は、図１に示すように、ベースバンド処理部１８で信号処理され、無線部１７で変調されて、アンテナ９を介して無線電波として送信され、電話回線が繋がると、相手先からアンテナ９を介して受信された信号は、無線部１７で復調され、ベースバンド処理部１８で信号処理され、近距離無線通信部１３からアンテナ１２を介してヘッドセット装置３へ音声データが送信される。
【００４１】
ヘッドセット装置３では、図１に示すように、アンテナ３３を介して近距離無線通信部３４で受信され、音声信号処理部３７で復号化された音声データが、Ｄ／Ａ変換部３８によってデジタル信号からアナログ信号に変換されて受話部３５から音声として出力され、ユーザが聴くことができる。
【００４２】
また、ユーザが発した音声は、送話部３６から入力され、Ａ／Ｄ変換部３９によってアナログ信号からデジタル信号に変換され、音声信号処理部３７で符号化されて、近距離無線通信部３４からアンテナ３３を介して腕時計型携帯電話機２へ送信される。
腕時計型携帯電話機２では、近距離無線通信部１３でアンテナ１２を介して受信され、ベースバンド処理部１８で信号処理された音声データは、無線部１７で変調され、アンテナ９を介して無線電波として相手先へ送信される。通話が終了して、ユーザが、通話終了キー２３ｍを押圧すると、電話回線が切断される。
【００４３】
このように、この例の構成によれば、複数の操作キーを、筐体の周側面２５から突出させて放射状に配置したので、小型化を達成しつつ、時計の時刻表示を見易くすることができ、かつ、操作キーの操作性を向上させることができる。
すなわち、通話機能が付加されたことにより、腕時計としての利便性（時刻表示の見易さや扱い易さ等）や、装着感等が損なわれることがない。
【００４４】
また、操作対象の操作キーと反対側の枠体２４の周端面２５とを、例えば、親指と人差指とで抓むようにして、押圧力を加えることによって、腕時計型携帯電話機２本体を変位させずに、かつ、操作対象の操作キーに容易に押圧力が伝達され、電話番号入力操作を、一段と円滑にかつ確実に行うことができる。
【００４５】
また、従来技術と比較して、デザイン上の美感を損なうことがない。
また、従来技術では、腕時計型携帯電話機２を一方の手首に装着して、又は一方の手に持って、他方の手指で操作キーを押す必要があったが、腕時計型携帯電話機２を手首から外した状態で、片手で操作を行うようにすることができる。
【実施例２】
【００４６】
図６は、この発明の第２の実施例である携帯電話システムの腕時計型携帯電話機の構成を示すブロック図、また、図７は、同腕時計型携帯電話機の操作部及び時計部の構成を示す断面図である。
この例が上述した第１の実施例と大きく異なるところは、所定の操作キーに、押圧操作による電話番号入力機能に加え、回転操作による時刻表示調節機能を持たせた点、及び例えば着信時に着信音を出力する音声出力部を設けた点である。
これ以外の構成は、上述した第１の実施例の構成と略同一であるので、第１の実施例と同一の構成要素については、図６において、例えば、図１で用いた符号と同一の符号を用いて、その説明を簡略にする。
【００４７】
腕時計型携帯電話機２Ａは、図６に示すように、当該腕時計型携帯電話機２Ａ本体の構成各部を制御する制御部４１と、制御部４１が実行する処理プログラムや各種データ等を記憶するための記憶部４２と、アンテナ９を介して無線電波の送受信を行い、通信を行うために用いられる無線通信部１１と、ブルートゥース用のアンテナ１２を介して、ヘッドセット装置３との間で近距離無線通信を行って、音声情報を授受するために用いられる近距離無線通信部１３と、少なくとも現在時刻を表示する時計部１４と、電話番号入力操作等を行うための複数の操作キーからなる操作部４３と、例えば、着信時等に音声を出力するスピーカからなる音声出力部４４とが、筐体５Ａに収納され又は取り付けられて概略構成されている。
【００４８】
制御部４１は、記憶部４２に記憶された制御プログラムに従って、腕時計型携帯電話機２Ａ本体の構成各部を制御し、例えば、通信制御処理、操作制御処理、対ヘッドセット装置通信制御処理等のほか、着信通知処理等を実行する。
制御部４１は、着信通知処理では、着信時に、例えば、音声出力部４４に、所定の着信音を出力させる。
【００４９】
記憶部４２は、ＲＯＭ、ＲＡＭ等の半導体メモリ等からなり、制御部４１が実行する各種プログラムや、各種情報等が記憶される。
記憶部４２は、制御プログラム等が記憶されたプログラム記憶部と、各種情報が記憶された情報記憶部とを有してなっている。情報記憶部には、着信時に出力させる着信音情報等が記憶されている。
【００５０】
この例の操作部４３は、先端を筐体５の中心部へ向けて押圧して、押し込むことによって操作がなされる操作キー（入力ボタン）が、筐体５Ａを構成する断面円環状の枠体２４の周端面２５から突出させて放射状に配置されてなり、電話番号入力のための番号「０」〜番号「９」に対応した操作キーとしての数字キー２３ａ〜２３ｊ、通話開始時に押圧する通話開始キー２３ｋ、及び通話終了時に押圧する通話終了キー２３ｍを含んでいる。
なお、通話終了キー２３ｍは、携帯電話機能のオン／オフを行うための電源キーを兼ねている。
【００５１】
この例では、「３」に対応した数字キー２３ｄは、先端を筐体５Ａの中心部へ向けて押圧して、押し込むことによって、番号「３」の入力操作がなされると共に、軸部に形成された歯車が、長針及び短針を回転軸の周りに回転させるための歯車と噛合しており、突出方向（表示面に沿った離心方向）に沿った軸の周りに回転させることによって、時計部１４の短針及び長針を回転変位させ、時刻表示の調整が可能なように構成されている。
【００５２】
この数字キー２３ｄは、図７に示すように、先端が露出し、押圧操作又は回転操作を行うための頭部４５ａと、頭部４５ａと一体的に成形され、キー入力回路の対応するスイッチを開閉するための例えば円板状の金属製の可動接点４５ｐが設けられた軸部４５ｂと、軸部４５ｂの後端部（内部側端部）に取り付けられた駆動かさ歯車４５ｃとを有している。なお、頭部４５ａの裏面と筐体５との間には弾性部材４６が介挿されている。
【００５３】
また、軸部４５ｂは、後端部４５ｒが四角柱状に成形され、後端部４５ｒ以外の部位は、円柱状に成形され、駆動かさ歯車４５ｃは、軸に沿って形成され、四角柱状の後端部４５ｒを挿通するための断面四角形状の貫通孔を有している。軸部４５ｂが軸方向に沿って変位する際には、軸方向に沿って変位しない駆動かさ歯車４５ｃの貫通孔内を四角柱状の後端部４５ｒが押し込まれるように移動すると共に、弾性部材４６が圧縮される。
【００５４】
時計部１４は、短針４８ａ及び長針４８ｂの取付軸部４９ａの後端部（内部側端部）に取り付けられ、数字キー２３ｄの駆動かさ歯車４５ｃと噛合する従動かさ歯車４９ｂを有している。駆動かさ歯車４５ｃによって従動かさ歯車４９ｂが回転することによって、回転運動がその回転軸が９０°変換されて伝達される。
【００５５】
数字キー２３ｄの頭部４５ａが押圧されることによって、例えば略円板状の可動接点４５ｐが、基板４７上の対応する例えば略円弧状に形成された固定接点４７ａ，４７ａに接触して、スイッチを例えば閉状態とし、非押圧状態となると、弾性部材４６の復元力により、可動接点４５ｐが離れてスイッチが開状態となる。
【００５６】
数字キー２３ｄの頭部４５ａが回転操作されると、軸部４５ｂの四角柱状の後端部が駆動かさ歯車４５ｃの貫通孔に嵌合して、駆動かさ歯車４５ｃが回転し、これによって、駆動かさ歯車４５ｃに噛合する従動かさ歯車４９ｂが回転し、従動かさ歯車４９ｂと共に取付軸部４９ａが回転して、短針４８ａ及び長針４８ｂが回転し、時刻の調整が行われる。
なお、この例では、数字キー２３ｄの機能を、動力伝達機構等が単純化された場合について説明したが、例えば、時刻調節時のみ、駆動かさ歯車４５ｃが従動かさ歯車４９ｂと噛合するように、駆動かさ歯車４５ｃがその軸方向に沿って移動可能なように構成しても良い。
【００５７】
この例の構成によれば、上述した第１の実施例と略同様の効果を得ることができる。
加えて、単一の操作キーで、例えば、電話番号入力と時刻表示の調整とを行うことができるので、部品点数を維持しつつ、多機能化を実現することができる。
【実施例３】
【００５８】
図８は、この発明の第３の実施例である携帯電話システムの腕時計型携帯電話機の構成を示すブロック図、また、図９は、同腕時計型携帯電話機の構成を説明するための説明図である。
この例が上述した第１の実施例と大きく異なるところは、表示装置を用いて時刻表示を行うと共に、時計機能に係る表示（時刻情報）と、携帯電話機能に係る表示（通話情報）との切替表示が可能なように構成した点である。
これ以外の構成は、上述した第１の実施例の構成と略同一であるので、第１の実施例と同一の構成要素については、図８において、例えば、図１で用いた符号と同一の符号を用いて、その説明を簡略にする。
【００５９】
この例の腕時計型携帯電話機２Ｂは、図８及び図９に示すように、当該腕時計型携帯電話機２Ｂ本体の構成各部を制御する制御部５１と、制御部５１が実行する処理プログラムや各種データ等を記憶するための記憶部５２と、アンテナ９を介して無線電波の送受信を行い、所定のプロトコルに従って通話を行うために用いられる無線通信部１１と、ブルートゥース用のアンテナ１２を介して、ヘッドセット装置３との間で近距離無線通信を行って、音声情報を授受するために用いられる近距離無線通信部１３と、計時機能に係る表示（時刻情報）、又は携帯電話機としての機能に係る表示（通話情報）を行うための例えば液晶表示装置からなる表示部５３と、電話番号入力操作等を行うための操作キーからなる操作部５４とが、筐体５Ｂに収納され又は取り付けられて概略構成されている。
【００６０】
制御部５１は、記憶部５２に記憶された制御プログラムに従って、腕時計型携帯電話機２Ｂ本体の構成各部を制御し、例えば、通信制御処理、操作制御処理、対ヘッドセット装置通信制御処理等のほか、表示制御処理や、計時処理、着信通知処理等を実行する。
制御部５１は、表示制御処理では、通常は、表示部５３に、計時処理で得られた現在時刻を表示させ、通話機能使用時には、通話情報を表示させる。通話情報は、数字キーを操作したときの電話番号情報や、着信履歴情報、発信履歴情報等を含んでいる。
着信通知処理では、着信時に、例えば、表示部５３に着信メッセージを表示させる。
【００６１】
記憶部５２は、ＲＯＭ、ＲＡＭ等の半導体メモリ等からなり、制御部５１が実行する各種プログラムや、各種情報等が記憶される。
記憶部５２は、制御プログラム等が記憶されたプログラム記憶部と、各種情報が記憶された情報記憶部とを有してなっている。情報記憶部には、着信履歴情報や発信履歴情報等が記憶されている。
【００６２】
表示部５３は、例えば透過型の液晶表示装置を有してなっている。液晶表示装置は、液晶パネルと、液晶パネルに照明光を与えるバックライト装置と、液晶パネルを駆動する駆動回路とを有している。
操作部５４は、電話番号入力のための番号「０」〜番号「９」に対応した操作キーとしての数字キー２３ａ〜２３ｊ、通話開始時に押圧する通話開始キー２３ｋ、及び通話終了時に押圧する通話終了キー２３ｍを含んでいる。なお、通話終了キー２３ｍは、携帯電話機能のオン／オフを行うための電源キーを兼ねている。
【００６３】
また、この例では、数字キー２３ａ，２３ｇが同時に押圧された場合に、制御部５１は、時計モードから通話モードに切り換える。すなわち、時刻情報表示画面から通話情報表示画面に切り換え、表示部５３には、入力電話番号の表示が可能な状態とされる。
また、この状態で、数字キー２３ｄ，２３ｊが同時に押圧された場合に、制御部５１は、表示部５３に、図７に示すように、通話情報選択メニューを表示させ、メニュー表示状態で、数字キー２３ａの回転操作によって左右に、数字キー２３ｄの回転操作によって上下にカーソルが移動して、数字キー２３ａの押圧によって、項目の選択が可能なように構成されている。通話情報選択メニューは、着信履歴情報表示や発信履歴情報表示を含んでいる。
なお、発信履歴情報のなかから、所望の電話番号を選択することによって、数字キー２３ａ〜２３ｊを操作せずに、通話開始キー２３ｋの押下のみで、発呼が開始される。
【００６４】
次に、図８及び図９を参照して、上記構成の携帯通話システムの動作について説明する。
この例では、表示部５３に現在時刻が表示されている状態で、数字キー２３ａ，２３ｇが同時に押圧されると、制御部５１は、図８に示すように、時計モードから通話モードに切り替え、表示部５３には、入力電話番号の表示が可能な状態とされる。
【００６５】
番号「０」〜番号「９」に対応した数字キー２３ａ〜２３ｊが連続して押圧されて相手先の電話番号が入力されると、制御部５１は、表示部５３に入力された電話番号を表示させる。
次に、ユーザが入力電話番号を確認し、通話開始キー２３ｋが押圧されると、制御部５１は、入力された電話番号に対する発呼処理を行う。
【００６６】
なお、数字キー２３ｄ，２３ｊが同時に押圧された場合に、制御部５１は、表示部５３に、図９に示すように、通話情報選択メニューを表示させ、メニュー表示状態で、数字キー２３ａの回転操作によって左右に、数字キー２３ｄの回転操作によって上下にカーソルが移動して、数字キー２３ａの押圧によって、項目の選択される。
発信履歴情報のなかから、所望の電話番号が選択されることによって、制御部５１は、表示部５３に、相手先の電話番号を表示させ、通話開始キー２３ｋが押下されると、発呼が開始される。
【００６７】
また、着信があった場合には、制御部５１は、表示部５３に、着信通知のためのメッセージを表示させる。次に、通話開始キー２３ｋが押圧されると、通話可能となる。
通話終了後に、数字キー２３ａ，２３ｇを同時に押圧されると、制御部５１は、通話モードから時計モードに切り替え、表示部５３に現在時刻を表示させる。
【００６８】
この例の構成によれば、上述した第１の実施例と略同様の効果を得ることができる。
加えて、表示部５３において、現在時刻を表示させることができると共に、必要に応じて切り換えて、着信履歴情報、発信履歴情報等の通話情報を表示させることができる。
また、例えば、数字キー２３ａ，２３ｇを同時に押圧した場合に、時計モードから通話モードに切り換り、数字キー２３ｄ，２３ｊが同時に押圧された場合に、通話情報選択メニューが表示されるように構成したので、部品点数を維持しつつ、多機能化することができる。
【００６９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、時刻の表示で、短針と長針とによって、アナログ形式で現在時刻を表示する場合について述べたが、デジタル形式で表示するようにしても良い。
【００７０】
また、ヘッドセット装置を、難聴者、聴覚障害者向けの補聴器と一体化するか、又は補聴器に代えて用いるようにしても良い。この場合、ユーザの属性に従い、ユーザ個人に対する音量や音質の最適化処理を、ヘッドセット装置又は腕時計型携帯電話機の制御部が行うように構成しても良い。
また、手首に装着して携帯する場合のほか、ポケットに収納して携帯する場合、及びペンダント状に吊り下げて携帯する場合に適用できる。
【００７１】
また、例えば、腕時計型携帯電話機で、通信制御処理、操作制御処理、対ヘッドセット装置通信制御処理等を、制御部が、対応する制御プログラムを実行することによって行う場合について述べたが、通信制御処理、操作制御処理、対ヘッドセット装置通信制御処理等の一部又は全部を専用のハードウェアを用いて行い、一部を対応するプログラムを実行して処理するようにしても良い。
また、例えば、ベースバンド処理部の処理の一部を、制御部が制御プログラムを実行して行っても良い。また、ヘッドセット装置で、音声信号処理部の処理の一部を、制御部が制御プログラムを実行して行っても良い。
【００７２】
また、ヘッドセット装置に代えて、一方の耳部に装着するイヤホンとマイクロホンとを一体化したイヤセット装置を用いるようにしても良い。
また、単なる無線通話機能に代えて、ＴＶ電話機能を持たせても良い。また、計時機能を廃しても良い。
また、携帯情報端末として、腕時計型の携帯電話機のほか、放送受信機能（例えば、ラジオ受信機能、テレビジョン受信機能）等を有する端末に適用できる。
【００７３】
また、データ通信機能を付加すると共に、メーラやブラウザを搭載し、電子メールの送受信や、インターネット接続が可能なように構成しても良い。この場合、操作部では、文字入力が可能なように、例えば、文字入力モードを切り換えるための入力モード切替えキーを機能キーとして設けて、各数字キー等を、切替えによって、文字入力キーとして用いられるようにしても良い。
【００７４】
また、このほか、機能キーとして、ブラウザを起動させてホームページを閲覧するためのブラウザモード選択キー、操作を決定するために用いられる決定キー、操作メニューを表示させるためのメニューキー、電話帳を登録したり検索するための電話帳キー、操作を１つ前の状態へ戻すクリアキー等を独立に設けるようにしても良い。また、記憶部には、履歴情報のほか、電話帳情報等を記憶させるようにしても良い。
【００７５】
また、操作キーとしては、１２個に限らず、「＃」キーや「＊」キー等を付加しても良いし、配置位置も、必ずしも文字盤の数字に対応させなくても良いし、等角度間隔で配置しなくても良い。
また、例えば、「１」に対応するキーを複数設けるようにしても良い。また、文字入力可能なように構成しても良い。
【００７６】
また、腕時計型携帯電話機にも、受話部及び送話部を設けるようにしても良いし、この場合、ヘッドセット装置を廃するようにしても良い。
また、操作部において、先端を筐体の中心部へ向けて押圧して、押し込むことによってオン／オフ操作がなされる操作キーを設ける場合について述べたが、突出方向に沿って引っ張ることによって、入力されるように構成しても良い。
【００７７】
また、小型の筐体の形状を扁平な平面視略円形状とする場合について述べたが、これに限らず、平面視略楕円形状としても良いし、矩形状としても良い。
また、ヘッドセット装置において、制御部や記憶部等は、受話部を構成しユーザの耳部を覆うカバー部内に格納する場合について述べたが、ヘッドバンドに取り付けるようにしても良い。
【００７８】
また、第１の実施例で、基板上にメタルドームシートを配置し、さらに、各操作キーを金属板接点に対応させて配置する場合について述べたが、帯状の弾性部材上に操作キーを配置してキーシートとして一体化し、このキーシートを、メタルドームシート上に重なるように環状に配置するようにしても良い。
【００７９】
この場合、弾性部材の裏面の操作キー直下の部位には、対応する金属板接点を押下するためのスイッチ作動用突起部を形成する。
また、基板の裏面側に、基板の特に被押圧部位を支持する支持部材を配置するようにしても良い。この支持部材は、筐体内部に突設させて筐体と一体的に形成しても良いし、別部材としても良い。
【００８０】
また、第２の実施例で、軸部の後端部に駆動かさ歯車を、向きを逆にして（すなわち、上面と下面とを反転させて）固定し、時刻表示調節用の調整ねじを兼ねる「３」に対応した数字キーを所定量引き上げた状態で、従動かさ歯車と噛合するように構成しても良い。
この場合は、通常は、駆動かさ歯車は、従動かさ歯車から離隔し、押下時は、駆動かさ歯車は、従動かさ歯車からさらに離反するように変位する。
また、かさ歯車に代えて、ウォーム歯車装置を用いるようにしても良い。
【００８１】
また、第２の実施例で、例として、「３」に対応した数字キー２３ｄに、時刻表示調節の操作機能を兼ねさせる場合について述べたが、「３」に対応した数字キーに限らず、このほかの操作キーに、時刻表示調節の操作機能を持たせても良い。
また、第２の実施例で、所定の操作キーの回転によって、時刻表示調節を行う場合について述べたが、これに限らず、例えば、音量の調節を行うようにしても良い。
【００８２】
また、第３の実施例で、時刻表示を、アナログ方式とデジタル方式とで切替可能なように構成しても良い。
また、第３の実施例で、腕時計型携帯電話機において、着信時に、表示部にメッセージを表示させる場合について述べたが、表示画面全体を所定の色光で、又は所定の発光パターンで点滅させるようにしても良い。また、表示部に着信通知メッセージを表示させるのに加えて、発光や、振動、鳴動等による着信通知機能を付加するようにしても良い。
【００８３】
また、第３の実施例で、例えば、数字キー２３ａ，２３ｇを同時に押圧した場合に、表示画面（モード）が切り換わるように構成した場合について述べたが、一般に、中心に対して互いに対称な位置にある操作キー同士を挟みこむようにして、両方の操作キーを同時に操作することによって、別の機能を追加するようにしても良い。
【００８４】
また、第３の実施例では、時刻情報表示画面と通話情報表示画面とを切り換える場合について述べたが、同時に表示するようにしても良い。
また、第３の実施例で、表示部において透過型の液晶表示装置を用いる場合について述べたが、反射型の液晶表示装置を用いても良いし、液晶表示装置に限らず、ＥＬ（Electro Luminescence）表示装置等を用いても良い。
【産業上の利用可能性】
【００８５】
腕時計型の携帯通信端末として、腕時計型の携帯電話機のほか、簡易型携帯電話（ＰＨＳ）端末、無線送受信機能（例えば、トランシーバ機能）等を有する端末等に適用できる。
【図面の簡単な説明】
【００８６】
【図１】この発明の第１の実施例である携帯電話システムの構成を示すブロック図である。
【図２】同携帯電話システムの腕時計型携帯電話機の構成を説明するための説明図である。
【図３】同携帯電話システムのヘッドセット装置の構成を示す斜視図である。
【図４】同携帯電話システムが装着された状態を示す図である。
【図５】同腕時計型携帯電話機の操作部の構成を示す断面図である。
【図６】この発明の第２の実施例である携帯電話システムの腕時計型携帯電話機の構成を示すブロック図である。
【図７】同腕時計型携帯電話機の操作部及び時計部の構成を示す断面図である。
【図８】この発明の第３の実施例である携帯電話システムの腕時計型携帯電話機の構成を示すブロック図である。
【図９】同腕時計型携帯電話機の構成を説明するための説明図である。
【符号の説明】
【００８７】
１      携帯電話システム
２，２Ｂ      腕時計型携帯電話機（腕時計型携帯情報端末）
３      ヘッドセット装置
５，５Ａ，５Ｂ      筐体
６      装着用リストバンド（バンド）
７，４１      制御部
８，４２      記憶部
１３      近距離無線通信部
１４      時計部
１５，４４      操作部（操作手段）
２１      文字盤（表示手段の一部）
２３ａ，２３ｂ，…    数字キー（入力キー、テンキー）
２３ｋ      通話開始キー（入力キー）
２３ｍ      通話終了キー（入力キー）
２５      周側面（側面）
２６，４７      基板
２８ｂ，４５ｂ      軸部（作動軸部）
３４      近距離無線通信部
３５      受話部（受話手段）
３６      送話部（送話手段）
４３      表示部（表示手段）
４８ａ      短針
４８ｂ      長針
【図１】
2008053980.tif 000003
【図２】
2008053980.tif 000004
【図３】
2008053980.tif 000005
【図４】
2008053980.tif 000006
【図５】
2008053980.tif 000007
【図６】
2008053980.tif 000008
【図７】
2008053980.tif 000009
【図８】
2008053980.tif 000010
【図９】
2008053980.tif 000011